(57)【要約】【目的】  本発明は、エンボスされたカードを用いるインプリンターに関する。【構成】  エンボスされたカードａ上に配置されたシート紙に印字するためのインクローラ３をカードａの印刷方向に回転移動させてシート紙に印字するようにしたインプリンターにおいて、前記カードａを配置保持すると共に前記インクローラ３を印刷方向に案内するための手段を形成したべース１と、該べース１の上方でインクローラ３を回転可能に保持する第１の軸３ａと該軸方向に平行でベース１の下方でバックアップローラ４を回転可能に保持する第２の軸４ａとを備えると共にベース１の厚み部１ｔが嵌合する溝状部５ａが前記第１及び第２の軸３ａ，４ａと直交する方向に形成されたキャリッジＡと、前記べ一ス１に設けられたインクローラ３を印刷方向に案内するための手段に案内されて移動する係合手段を形成して前記キャリッジＡに着脱可能としたキャリッジカバーＢとを備えてなること。【選択図】      図１
2006150828.tif 000002
【特許請求の範囲】
【請求項１】
エンボスされたカード上に配置されたシート紙に印字するためのインクローラをエンボスされたカードの印刷方向に回転移動させてシート紙に印字するようにしたインプリンターにおいて、
前記エンボスされたカードを配置保持すると共に前記インクローラを印刷方向に案内するための手段を形成したべースと、
該ベースの上方でインクローラを回転可能に保持する第１の軸と該第１の軸の軸方向に平行で前記ベースの下方でバックアップローラを回転可能に保持する第２の軸とを備えると共に前記ベースの厚み部が嵌合する溝状部が前記第１及び第２の軸と直交する方向に形成されたキャリッジと、
前記べ一スに設けられたインクローラを印刷方向に案内するための手段に案内されて移動する係合手段を形成して前記キャリッジに着脱可能としたキャリッジカバーとを備えたことを特徴とするインプリンター。
【請求項２】
前記ベースには、該ベースを一方の手より保持するためのベース掴みのためのくぼみを設けて、他方の手により駆動されるキャリッジを空中で安定保持するようにしたことを特徴とする請求項１に記載のインプリンター。
【請求項３】
エンボスされたカード上に配置されたシート紙に印字するためのインクローラをエンボスされたカードの印刷方向に回転移動させてシート紙に印字するようにしたインプリンターにおいて、
前記エンボスされたカードを配置保持すると共に前記インクローラを印刷方向に案内するための手段を形成したべースと、
該ベースの上方でインクローラを回転可能に保持する第１の軸と該第１の軸の軸方向に平行で前記ベースの下方でバックアップローラを回転可能に保持する第２の軸とを備えると共に前記ベースの厚み部が嵌合する溝状部が前記第１及び第２の軸と直交する方向に形成されたキャリッジと、
前記べ一スに設けられたインクローラを印刷方向に案内するための手段に案内されて移動する係合手段を形成すると共にその一部に形成の弾性の係止部により前記キャリッジに着脱可能としたキャリッジカバーとを備えたことを特徴とするインプリンター。
【請求項４】
エンボスされたカード上に配置されたシート紙に印字するためのインクローラをエンボスされたカードの印刷方向に回転移動させてシート紙に印字するようにしたインプリンターにおいて、
前記エンボスされたカードを配置保持すると共に前記インクローラを印刷方向に案内するための手段を形成したべースと、
該ベースの上方でインクローラを回転可能に保持する第１の軸と該第１の軸の軸方向に平行で前記ベースの下方でバックアップローラを回転可能に保持する第２の軸とを備えると共に前記ベースの厚み部が嵌合する溝状部が前記第１及び第２の軸と直交する方向に形成されたキャリッジと、
前記べ一スに設けられたインクローラを印刷方向に案内するための手段に案内されて移動する係合手段を形成して前記キャリッジに着脱可能としたキャリッジカバーとを備え、  前記ベースの厚み部に嵌合する前記キャリッジの溝状部の上端より下方に位置する前記インクローラの下方位置が軸方向に組み付け移動するための弧状溝を前記ベースの厚み部上面に形成したことを特徴とするインプリンター。
【請求項５】
エンボスされたカード上に配置されたシート紙に印字するためのインクローラをエンボスされたカードの印刷方向に回転移動させてシート紙に印字するようにしたインプリンターにおいて、
前記エンボスされたカードを配置保持すると共に前記インクローラを印刷方向に案内するための手段を形成したべースと、
該ベースの上方でインクローラを回転可能に保持する第１の軸と該第１の軸の軸方向に平行で前記ベースの下方でバックアップローラを回転可能に保持する第２の軸とを備えると共に前記ベースの厚み部が嵌合する溝状部が前記第１及び第２の軸と直交する方向に形成されたキャリッジと、
前記べ一スに設けられたインクローラを印刷方向に案内するための手段に案内されて移動する係合手段を形成して前記キャリッジに着脱可能としたキャリッジカバーとを備え、  前記ベースの厚み部に嵌合する前記キャリッジの溝状部の上端より下方に位置する前記インクローラの下方位置が軸方向に組み付け移動するための弧状溝を前記ベースの厚み部上面に形成すると共に、前記弧状溝に対応して、組付け時に前記ベースの下方に軸方向に挿入された前記第２の軸に嵌合するバックアップローラを仮固定するための手段を前記ベースに設けたことを特徴とするインプリンター。
【請求項６】
前記ベースのインクローラを印刷方向に案内するための手段が、前記ベースに設けたガイド溝であって、前記キャリッジカバーの係合手段が前記キャリッジカバーに形成して前記ガイド溝に嵌合する突起部であることを特徴とする請求項１又は２又は３又は４又は５に記載のインプリンター。
【請求項７】
前記ベースのインクローラを印刷方向に案内するための手段が、前記ベースに設けた係合凸状のレールであって、前記キャリッジカバーの係合手段が前記キャリッジカバーに形成して前記係合凸状のレールに嵌合する溝部であることを特徴とする請求項１又は２又は３又は４又は５に記載のインプリンター。
【請求項８】
エンボスされたカード上に配置されたシート紙に印字するためのインクローラをエンボスされたカードの印刷方向に回転移動させてシート紙に印字するようにしたインプリンターにおいて、
前記エンボスされたカードを配置保持すると共に前記インクローラを印刷方向に案内するための手段を形成したベースと、
該ベースの上方でインクローラを回転可能に保持する第1の軸と該第１の軸の軸方向に平行で前記ベースの下方でバックアップローラを回転可能に保持する第２の軸とを備えると共に前記ベースの厚み部が嵌合する溝状部が前記第１及び第２の軸と直交する方向に形成されたキャリッジと、
前記ベースに設けられたインクローラを印刷方向に案内するための手段に案内されて移動する係合手段を形成して前記キャリッジに着脱可能としたキャリッジカバーとを備え、該キャリッジカバーとキャリッジとベースとを分離してコンパクトに収納できるようにしたことを特徴とするインプリンター。
【発明の詳細な説明】
【技術分野】
【０００１】
本発明は、エンボスされたカードを用いるインプリンターに関する。
【背景技術】
【０００２】
エンボスされたカード（クレジットカード等）を用いたインプリンターは、当該出願人によるものも多く存在すると共に、多くの先行技術がある。これらのうち、携帯が可能なインプリンターによるものとして、特許文献１，２及び３などが既に存在している。これら特許文献１乃至３の、インプリンターの構造は、多くの部品により構成されており、それらが組み立てられて、完成品として、供給されて使用されるようになっている。
【特許文献１】実公平３−３１５６９号
【特許文献２】実公昭５４−５０４４号
【特許文献３】実公昭５０−１００１４号
【発明の開示】
【発明が解決しようとする課題】
【０００３】
これらは組み立てられた完成品であるため、供給されてからの使用がすぐに行える反面、輸送や、パッケージサイズ等の面で大きなスペースを必要とし、大きさの制約から輸送費がかさむことになる。また、取り扱いに関して、インクローラのインク切れに対して簡単な交換が行えないという問題があった。
このため、本発明が解決しようとする課題（技術的課題又は目的等）は、部材相互を小スペースに収納させつつ、それらを何らの工具を用いることなく簡単に組み立てることができるのみならず、ガタつきもない極めて整然としたインプリンターを提供することを目的とする。さらに、インクローラのインク切れに対して簡単に交換可能なインプリンターを提供することを目的とする。
【課題を解決するための手段】
【０００４】
そこで、発明者は上記課題を解決すべく鋭意，研究を重ねた結果、請求項１の発明を、エンボスされたカード上に配置されたシート紙に印字するためのインクローラをエンボスされたカードの印刷方向に回転移動させてシート紙に印字するようにしたインプリンターにおいて、前記エンボスされたカードを配置保持すると共に前記インクローラを印刷方向に案内するための手段を形成したべースと、該ベースの上方でインクローラを回転可能に保持する第１の軸と該第１の軸の軸方向に平行で前記ベースの下方でバックアップローラを回転可能に保持する第２の軸とを備えると共に前記ベースの厚み部が嵌合する溝状部が前記第１及び第２の軸と直交する方向に形成されたキャリッジと、前記べ一スに設けられたインクローラを印刷方向に案内するための手段に案内されて移動する係合手段を形成して前記キャリッジに着脱可能としたキャリッジカバーとを備えたことを特徴とするインプリンターとしたことにより、前記課題を解決した。また、請求項２の発明を、前述の構成において、前記ベースには、該ベースを一方の手より保持するためのベース掴みのためのくぼみを設けて、他方の手により駆動されるキャリッジを空中で安定保持するようにしたことを特徴とするインプリンターとしたことにより、前記課題を解決した。
【０００５】
また、請求項３の発明を、エンボスされたカード上に配置されたシート紙に印字するためのインクローラをエンボスされたカードの印刷方向に回転移動させてシート紙に印字するようにしたインプリンターにおいて、前記エンボスされたカードを配置保持すると共に前記インクローラを印刷方向に案内するための手段を形成したべースと、該ベースの上方でインクローラを回転可能に保持する第１の軸と該第１の軸の軸方向に平行で前記ベースの下方でバックアップローラを回転可能に保持する第２の軸とを備えると共に前記ベースの厚み部が嵌合する溝状部が前記第１及び第２の軸と直交する方向に形成されたキャリッジと、前記べ一スに設けられたインクローラを印刷方向に案内するための手段に案内されて移動する係合手段を形成すると共にその一部に形成の弾性の係止部により前記キャリッジに着脱可能としたキャリッジカバーとを備えたことを特徴とするインプリンターとしたことにより、前記課題を解決した。
【０００６】
さらに、請求項４の発明を、エンボスされたカード上に配置されたシート紙に印字するためのインクローラをエンボスされたカードの印刷方向に回転移動させてシート紙に印字するようにしたインプリンターにおいて、前記エンボスされたカードを配置保持すると共に前記インクローラを印刷方向に案内するための手段を形成したべースと、該ベースの上方でインクローラを回転可能に保持する第１の軸と該第１の軸の軸方向に平行で前記ベースの下方でバックアップローラを回転可能に保持する第２の軸とを備えると共に前記ベースの厚み部が嵌合する溝状部が前記第１及び第２の軸と直交する方向に形成されたキャリッジと、前記べ一スに設けられたインクローラを印刷方向に案内するための手段に案内されて移動する係合手段を形成して前記キャリッジに着脱可能としたキャリッジカバーとを備え、前記ベースの厚み部に嵌合する前記キャリッジの溝状部の上端より下方に位置する前記インクローラの下方位置が軸方向に組み付け移動するための弧状溝を前記ベースの厚み部上面に形成したことを特徴とするインプリンターとしたことにより、前記課題を解決した。
【０００７】
さらに、請求項５の発明を、エンボスされたカード上に配置されたシート紙に印字するためのインクローラをエンボスされたカードの印刷方向に回転移動させてシート紙に印字するようにしたインプリンターにおいて、前記エンボスされたカードを配置保持すると共に前記インクローラを印刷方向に案内するための手段を形成したべースと、該ベースの上方でインクローラを回転可能に保持する第１の軸と該第１の軸の軸方向に平行で前記ベースの下方でバックアップローラを回転可能に保持する第２の軸とを備えると共に前記ベースの厚み部が嵌合する溝状部が前記第１及び第２の軸と直交する方向に形成されたキャリッジと、前記べ一スに設けられたインクローラを印刷方向に案内するための手段に案内されて移動する係合手段を形成して前記キャリッジに着脱可能としたキャリッジカバーとを備え、前記ベースの厚み部に嵌合する前記キャリッジの溝状部の上端より下方に位置する前記インクローラの下方位置が軸方向に組み付け移動するための弧状溝を前記ベースの厚み部上面に形成すると共に、前記弧状溝に対応して、組付け時に前記ベースの下方に軸方向に挿入された前記第２の軸に嵌合するバックアップローラを仮固定するための手段を前記ベースに設けたことを特徴とするインプリンターとしたことにより、前記課題を解決した。
【０００８】
また、請求項６の発明を、前記構成において、前記ベースのインクローラを印刷方向に案内するための手段が、前記ベースに設けたガイド溝であって、前記キャリッジカバーの係合手段が前記キャリッジカバーに形成して前記ガイド溝に嵌合する突起部であることを特徴とするインプリンターとしたことにより、前記課題を解決したものである。また、請求項７の発明を、前記構成において、前記ベースのインクローラを印刷方向に案内するための手段が、前記ベースに設けた係合凸状のレールであって、前記キャリッジカバーの係合手段が前記キャリッジカバーに形成して前記係合凸状のレールに嵌合する溝部であることを特徴とするインプリンターとしたことにより、前記課題を解決した。
【０００９】
また、請求項８の発明を、エンボスされたカード上に配置されたシート紙に印字するためのインクローラをエンボスされたカードの印刷方向に回転移動させてシート紙に印字するようにしたインプリンターにおいて、前記エンボスされたカードを配置保持すると共に前記インクローラを印刷方向に案内するための手段を形成したベースと、該ベースの上方でインクローラを回転可能に保持する第1の軸と該第１の軸の軸方向に平行で前記ベースの下方でバックアップローラを回転可能に保持する第２の軸とを備えると共に前記ベースの厚み部が嵌合する溝状部が前記第１及び第２の軸と直交する方向に形成されたキャリッジと、前記ベースに設けられたインクローラを印刷方向に案内するための手段に案内されて移動する係合手段を形成して前記キャリッジに着脱可能としたキャリッジカバーとを備え、該キャリッジカバーとキャリッジとベースとを分離してコンパクトに収納できるようにしたことを特徴とするインプリンターとしたことにより、前記課題を解決したものである。
【発明の効果】
【００１０】
本発明においては、印刷ローラを保持するキャリッジに対してキャリッジカバーを着脱可能にすることと、キャリッジカバーとベースとの間に印刷方向移動を案内するための構成を備え、ベースとキャリッジとの間に印刷方向移動を案内するための構成を設けなくすることで、キャリッジをベースから水平方向に着脱可能に構成することができた。これにより、ベースに対してキャリッジが水平方向に着脱可能に構成すると共に、キャリッジに対してキャリッジカバーが着脱可能に構成されていることで主要部材を着脱可能とすることができた。
【００１１】
特に、請求項１の発明においては、主要部材を着脱可能とすることにより、部材相互を小スペースに収納させつつ、簡単に組み立てることができ、さらには、ガタつきもない極めて整然としたインプリンターを提供できる利点がある。また、請求項２の発明では、請求項１の発明と同様の効果を奏すると共に安定して支持できる。さらに、請求項３の発明では、請求項１の発明と同様の効果を奏すると共に、その一部に形成の弾性に係止部により前記キャリッジに着脱可能としたキャリッジカバーとすることにより、工具を使用せずに組み付けと取り外しが可能となるという利点がある。また、請求項３の発明では、キャリッジの溝状部の上端より下方に位置するインクローラの下方位置が軸方向に組み付け移動するための弧状溝をベースの厚み部上面に形成したことにより、第１の軸より下方に突出するインクローラをエンボスされたカード上に近接した位置に案内することができる。また、請求項４の発明では、請求項３の発明と同様の効果を奏すると共に、キャリッジの溝状部の上端より下方に位置する前記インクローラの下方位置が軸方向に組み付け移動するための弧状溝部を前記ベースの厚み部に形成すると共に、該弧状溝に対応して、組付け時に前記ベースの下方に軸方向に挿入された前記第２の軸に嵌合するバックアップローラを仮固定するための手段を前記ベースに設けたことにより、組み立て時に、バックアップローラに軸が適切に案内することができる。
【００１２】
また、請求項５の発明では、ベースのインクローラを印刷方向に案内するための手段が、前記ベースに設けたガイド溝であって、前記キャリッジカバーの係合手段が前記キャリッジカバーに形成して前記ガイド溝に嵌合する突起部とすることで、特に案内するための手段を更に備えることなく確実に案内することができる。特に、部材相互を小スペースに収納させつつも、組立時に簡単にできる利点がある。また、請求項６の発明では、ベースのインクローラを印刷方向に案内するための手段が、ベースに設けた係合凸状のレールであって、キャリッジカバーの係合手段がキャリッジカバーに形成して係合凸状のレールに嵌合する溝部であることとすることで、特に案内するための手段を更に備えることなく確実に案内することができる。特に、部材相互を小スペースに収納させつつも、組立時に簡単にできる利点がある。これら請求項６乃至８では、主要部材相互を、扁平状で小スペースに収納させることができ、郵送費も廉価にできる利点がある。
【発明を実施するための最良の形態】
【００１３】
以下、本発明の第１実施形態について図１乃至図６に基づいて説明すると、図１（ａ）は本発明の表側からの斜視図、図１（ｂ）は本発明の裏側からの斜視図であり、図２（ａ）は本発明の平面図である。１はベースであって、エンボスされたカードａ（クレジットカード等）を載置するカード載置部１ａが形成され、図２（ａ）において、右側には爪状のカードストッパ１ｂが、下側には突起１ｃがそれぞれ形成されている。さらに、前記ベース１には、印刷方向［図２（ａ）において左右方向］に案内するための手段が前記ベース１のほぼ全長に亘って形成されている。前記印刷方向に案内するための手段としては、ガイド２として形成されている。該ガイド２としての印刷方向に案内するための手段は、具体的には、凹状のガイド溝２ａとして形成されている［図１（ａ），図２（ｂ），図３及び図４等参照］。
【００１４】
Ａはキャリッジであって、図１（ａ）及び図２（ｂ）に示すように、前記ベース１の上方に位置し、且つインクローラ３を保持する第１の軸３ａ（インクローラ軸）と、該第１の軸３ａと平行で前記ベース１の下方でバックアップローラ４を保持する第２の軸４ａ（バックアップローラ軸）とをコ字状部材５にて連結され、前記べ−ス１に着脱可能に構成されている。前記第１の軸３ａ（インクローラ軸）の先端には図２及び図４に示すように、着脱可能なゴム輪状のクリップ３ｂが装着されており、このゴム輪状のクリップ３ｂを外すことによりインクローラ３の交換が可能に構成されている。なお、ゴム輪状のクリップ３ｂはＯリングやＥリングであっても良い。前記キャリッジＡは前記ベース１の印刷方向［図２（ａ）において左右方向］に適宜移動可能に構成されているが、本発明では、特に、前記キャリッジＡと前記ベース１とがガイド等で規制されているものではなく、キャリッジカバーＢによる規制にて印刷方向［図２（ａ）において左右方向］に適宜移動可能に構成されているものである。このことは、キャリッジＡと前記ベース１との着脱自在構成を容易にするためである。また、前記ベース１の厚み部１ｔが嵌合する、前記キャリッジＡのコ字状部材５の溝状部５ａが前記第１の軸３ａ及び第２の軸４ａと直交する方向に形成されている。
【００１５】
Ｂはキャリッジカバーであって、図２（ｂ），図３（ｃ）乃至（ｅ）に示すように、前記キャリッジＡの前記ベース１の上方に露出した部位を包むような、細長の箱状本体６にて構成され、該箱状本体６の細長幅方向の両側には、前記ベース１のガイド２としての印刷方向に案内するための手段に係合する係合手段を備えている。該係合手段としては、一対の係合部７，７にて構成されている。また、前記箱状本体６の長手方向の一端には、前記第１の軸３ａの端に係止する係止溝６ａが、その他端には、前記キャリッジＡのコ字状部材５の爪部５ｂに係合する、外側に適宜反るように弾力性を有した爪状の係止部６ｂがそれぞれ形成されている。これによって、前記キャリッジカバーＢは前記キャリッジＡに対して着脱自在に構成されている［図２（ｂ）及び図３（ｄ）参照］。
【００１６】
前記キャリッジカバーＢにてキャリッジＡに被覆セットするには、まず、箱状本体６の係止溝６ａ内に前記第１の軸３ａ端を挿入し、そして今度は前記箱状本体６の爪部なる係止部６ｂを前記キャリッジＡにコ字状部材５の爪部５ｂに弾性を有するようにして係止する［図２（ｂ）及び図３（ｄ）参照］。この係止と同時に一対の係合部７，７を前記ベース１のガイド２に係合して完了する。実際には、ほぼ瞬時にセットできる。また、前記キャリッジカバーＢをキャリッジＡから外すには、被覆セットとは逆に、前記箱状本体６の係止部６ｂを前記キャリッジＡにコ字状部材５の爪部５ｂに弾性的に係合している状態から、その係止部６ｂを開くようにして外すことでほぼ瞬時にできる。
【００１７】
前記キャリッジＡと前記ベース１とがガイド等で規制されていない構成と、前記キャリッジＡを前記ベース１にセットする構成を説明する。まず、前記キャリッジＡを前記ベース１にセットした後では、前記キャリッジＡは前記ベース１に印刷方向［図２（ａ）において左右方向］に適宜移動可能で外れないようにするには、前記ガイド２は、凹状又は凸状をなしているのが一般であるため、前記キャリッジＡと前記ベース１とは装着又は離脱が不可能とならざるを得ない。このため、前記キャリッジＡと前記ベース１とがガイド等で規制されていない構成となっている。
【００１８】
さらに、本願発明において、分解された状態では、図４（ａ），図５（ａ）及び図８に示すように、前記ベース１の上側位置で、インクローラ３の通過する弧状溝１ｄが、前記ベース１の図１において左端位置に形成され、前記インクローラ３を通り易くしている。これは、前記ベース１の強度性のための厚みを保持しつつも組立性を図ったものである。      
【００１９】
また、図４（ａ），図５（ｂ），図５（ｄ）及び図９に示すように、前記弧状溝１ｄが形成された前記ベース１の位置に対応して、その直下には、前記インクローラ３の高さ位置をガイドするためのバックアップローラ４が、前記ベース１下面の規制板片１ｅに仮止め固定されている。つまり、前記キャリッジＡと、前記ベース１とを分離した状態では、第２の軸４ａからバックアップローラ４を外した状態にしておく。仮止め固定では、該バックアップローラ４は、前記ベース１裏面の所定位置に適宜な手段にて（テープ又は弾性材等）固定しておくものである。
【００２０】
そして、前記キャリッジＡのインクローラ３を、弧状溝１ｄを通過させつつ［図４（ｂ）及び図５（ａ）参照］、同時に、予め固定されたバックアップローラ４の孔部に案内されつつ前記キャリッジＡの第２の軸４ａを挿入する［図４（ｃ）及び図５（ｄ）参照］。これで前記キャリッジＡの前記ベース１へのセットを完了する。このとき、第２の軸４ａの先端は、前記ベース１の下面の案内片１ｆに係合される。また、外すときには、前記キャリッジカバーＢをキャリッジＡから外した後に、前記キャリッジＡのインクローラ３の通過する弧状溝１ｄまで移動させて離脱するものである。
【００２１】
前記キャリッジカバーＢの前記係合部７が、前記キャリッジＡの前記ベース１上のガイド２に係合することで印刷方向［図２（ａ）において左右方向］に適宜移動可能に規制されて構成されているものである。本発明の第１実施形態では、ガイド溝２ａなるガイド２に対して、一対の突起部７ａ，７ａなる係合部７，７が係合して印刷方向に適宜移動可能に構成されている。さらに具体的には、図６（ａ）乃至（ｃ）に示すように、前記ガイド溝２ａの深さと、前記キャリッジカバーＢの突起部７ａの高さとで位置規制されている。このようにすることで、組立型にかかわらず、前記ベース１とキャリッジＡとのガタつき等を解消したインプリンターを提供できる。
【００２２】
これを使用して、エンボスされたカードａを装着し、且つ伝票を伝票押え１ｇに挟むようにして、前記キャリッジカバーＢ付きのキャリッジＡを図１及び図２（ａ）の右方向に押えつつ移動させることで、前記ベース１とキャリッジＡとのガタつき等がなく、極めてスムーズに伝票上に印刷ができるものである。
なお、ベース１には該ベース１を一方の手により保持するためのベース掴みのためのくぼみ１ｈを図１、図６、図７のように形成して、他方の手により駆動するキャリッジＡを空中で扱っても安定性が保てるように構成することも、本発明の特徴である。
【００２３】
また、本発明の第２実施形態では、図７（ａ）乃至（ｃ）に示すように、係合凸状のレール２ｂなるガイド２としての印刷方向に案内するための手段に対して、一対の溝部７ｂ，７ｂなる係合部７，７としての係合手段が係合して印刷方向に適宜移動可能に構成されている。さらに具体的には、前記係合凸状のレール２ｂの高さと、前記キャリッジカバーＢの溝部７ｂ，７ｂの深さとで位置規制されている。他の構成は、本発明の第１実施形態の構成と同一であり、その説明を省略する。
【００２４】
また、前記ベース１とキャリッジＡとに装着されるキャリッジカバーＢとの間に形成した移動ガイドするための手段としては、前記キャリッジカバーＢの前記係合部７が、前記キャリッジＡの前記ベース１上のガイド２に係合することを含み（本発明の第１及び第２実施形態を含む）、さらに、前記ベース１に複数の平行なレールを形成し、キャリッジカバーＢに該平行なレールに嵌合する一対のレール係合部を形成したものも含むものであり、実施形態に制限されない。また、インクローラ３が、永年使用等によってインクが薄い状態となった場合には、前記第１の軸３ａの先端のゴム輪状のクリップ３ｂを外して、新しいインクローラ３と簡単に取り替えができる。つまり、インクローラ３のインク切れに対して簡単に交換可能にでき極めて有用にできる。
【００２５】
前記第２の軸４ａは、該第２の軸４ａの他端側の軸部取付部４ｂに対して僅かに偏心するように構成されている。具体的には、図１（ｄ）及び（ｅ）に示すように、前記軸部取付部４ｂの中心Ｏ1 に対して、前記第２の軸４ａの中心Ｏ2 が偏心量ｅとなるように構成されている。その偏心量ｅの方向は、前記ベース１に平行となるようにセットされており硬い状態ではあるが回動可能に構成されている。前記軸部取付部４ｂの外端の螺子係止溝４ｃにドライバ等の先端部を入れて適宜の角度θ回転させることで［図１（ｅ）］、バックアップローラ４が前記ベース１の裏面に適宜密着して、前記ベース１とキャリッジＡとのガタつき等を解消できるように構成されている。
【００２６】
ここで、本発明の構成部材の収納・組み立て等について説明する。組み立て前の収納時には、図９に示すように、ベース１（該ベース１は裏側状態であって、バックアップローラ４はベース１の裏面に仮止めしておく）と、キャリッジＡ（バックアップローラ４を備えない）と、キャリッジカバーＢとが、部品として、ポリ袋にそれぞれ入れられ、扁平状の外箱ｂに収納されている。このようにすることで、厚さ約２cm以下の箱に収納可能でコンパクトとなり郵送費を大幅に軽減できる。また、取り出して組み立てるには、前述したようにして行うものである。つまり、ベース１に対して、前記第１の軸３ａ及び第２の軸４ａの軸方向に解放されて移動可能なキャリッジＡと、該キャリッジＡに対して弾性を有して着脱可能なキャリッジカバーＢを備えることで、組み立てるのに、単品で梱包された夫々を、工具を用いることなく、一体化することができ、また分離することも同様にできるようにした。即ち、「ワンアクションで組立・分離可能」なインプリンターを提供できる。
【図面の簡単な説明】
【００２７】
【図１】（ａ）は本発明の第１実施形態の表側からの斜視図、図１（ｂ）は本発明の第１実施形態の裏側からの斜視図である。
【図２】（ａ）は本発明の第１実施形態の平面図、（ｂ）は（ａ）のＸ−Ｘ矢視断面図、（ｃ）はバックアップローラを外したキャリッジの一部切除した側面図、（ｄ）及び（ｅ）は第２の軸と軸部取付部との偏心を示す簡略図である。
【図３】（ａ）はベースにキャリッジを挿入する過程の分解斜視図、（ｂ）はキャリッジにキャリッジカバーを嵌合する過程の分解斜視図である。
【図４】（ａ）はベースにキャリッジを挿入しようとする分解断面図、（ｂ）はベースにキャリッジを挿入する過程の断面図、（ｃ）はベースにキャリッジを挿入後に、該キャリッジにキャリッジカバーを嵌合しようとする分解断面図、（ｄ）はベースにキャリッジを挿入後に、該キャリッジにキャリッジカバーを嵌合完了した断面図、（ｅ）はキャリッジカバーの裏面側からの斜視図である。
【図５】（ａ）はベースにキャリッジを挿入する過程の表側の平面図、（ｂ）は（ａ）の裏面図、（ｃ）はベースにキャリッジを挿入完了した表側の平面図、（ｄ）は（ｃ）の裏面図である。
【図６】（ａ）は本発明の第１実施形態のベースのガイドにキャリッジカバーの係合部を係合完了した一部断面とした側面図、（ｂ）は（ａ）の要部拡大図、（ｃ）は相互に離間した状態の要部拡大図である。
【図７】（ａ）は本発明の第２実施形態のベースのガイドにキャリッジカバーの係合部を係合完了した一部断面とした側面図、（ｂ）は（ａ）の要部拡大図、（ｃ）は相互に離間した状態の要部拡大図である。
【図８】（ａ）は本発明の第１実施形態のベースの一部斜視図、（ｂ）は（ａ）のＹ−Ｙ矢視断面図である。
【図９】扁平状の外箱に本発明の部材を収納した平面図である。
【符号の説明】
【００２８】
１…ベース、ａ…カード、１ｄ…弧状溝、１ｈ…くぼみ、１ｔ…厚み部、２…ガイド、２ａ…ガイド溝、２ｂ…レール、Ａ…キャリッジ、３…インクローラ、３ａ…第１の軸、４…バックアップローラ、４ａ…第２の軸、５ａ…溝状部、Ｂ…キャリッジカバー、
６ｂ…係止部、７ａ…突起部、７ｂ…溝部。
【図１】
2006150828.tif 000003
【図２】
2006150828.tif 000004
【図３】
2006150828.tif 000005
【図４】
2006150828.tif 000006
【図５】
2006150828.tif 000007
【図６】
2006150828.tif 000008
【図７】
2006150828.tif 000009
【図８】
2006150828.tif 000010
【図９】
2006150828.tif 000011